(57)【要約】【課題】端末装置がＭＵ−ＭＩＭＯ伝送された信号受信で干渉キャンセルによる信号検出が可能な場合、ペアリングされた他の端末装置へ通知される制御情報が必要になるが、ペアリングされた他の端末装置のＣ−ＲＮＴＩが通知されない状態で端末装置がＢＤによる検出は、非常に多くの候補が存在することとなり、ＢＤの演算量が膨大になる問題があった。【解決手段】基地局装置から複数の端末装置へのマルチキャリア信号が同一時間かつ同一周波数に多重されたデータ信号を受信する端末装置であって、前記端末装置は、受信信号から信号を多重される他の端末装置固有のパラメータ、もしくはデータ信号を多重された端末装置間でのみ共通のパラメータの少なくとも一方を分離する制御情報分離部と、前記パラメータのいずれか１つに基づいて前記他の端末装置へ送信された制御情報を検出する制御情報検出部とを具備する。【選択図】図６
2014204254.tif 000002
【特許請求の範囲】
【請求項１】
基地局装置から複数の端末装置へのマルチキャリア信号が同一時間かつ同一周波数に多重されたデータ信号を受信する端末装置であって、
前記端末装置は、受信信号から信号を多重される他の端末装置固有のパラメータ、もしくはデータ信号を多重された端末装置間でのみ共通のパラメータの少なくとも一方を分離する制御情報分離部と、前記パラメータのいずれか１つに基づいて前記他の端末装置へ送信された制御情報を検出する制御情報検出部とを具備することを特徴とする端末装置。
【請求項２】
前記端末装置は、検出した前記制御情報に基づいて前記他の端末装置へのマルチキャリア信号を復調する復調部と、復調した前記マルチキャリア信号をデータ信号からキャンセルするキャンセル処理部とを具備することを特徴とする請求項１の端末装置。
【請求項３】
前記パラメータのいずれか１つに基づいて、前記他の端末装置へ送信された前記制御情報を検出するサーチスペースを算出するＣＣＥ算出部を具備することを特徴とする請求項１の端末装置。
【請求項４】
前記サーチスペースは、複数の端末装置への送信信号が多重される端末装置間で共通のサーチスペースであることを特徴とする請求項３の端末装置。
【請求項５】
前記パラメータのいずれか１つに基づいて、前記他の端末装置へ送信された前記制御情報の検出時の誤りチェックに用いるＣＲＣを算出するＣＲＣ算出部を具備することを特徴とする請求項１の端末装置。
【請求項６】
前記パラメータのいずれか１つに基づいて、所望のデータ信号を受信に用いる制御情報と前記他の端末装置へ送信された前記制御情報を同時に含む制御情報を検出することを特徴とする請求項１の端末装置。
【請求項７】
複数の端末装置へ送信するマルチキャリア信号を同一時間かつ同一周波数に多重して送信する基地局装置であって、
端末装置に対して、データ信号を多重する他の端末装置へ送信する制御情報の検出に用いる前記他の端末装置固有のパラメータもしくはデータ信号を多重した端末装置間でのみ共通のパラメータの少なくとも一方を通知することを特徴とする基地局装置。
【請求項８】
前記パラメータのいずれか１つは、前記他の端末装置へ送信する前記制御情報を検出するサーチスペースを決定するパラメータであることを特徴とする請求項６の基地局装置。
【請求項９】
前記パラメータのいずれか１つは、前記他の端末装置へ送信する前記制御情報を検出時に誤りチェックに用いるＣＲＣを算出するためのパラメータであることを特徴とする請求項６の基地局装置。
【発明の詳細な説明】
【技術分野】
【０００１】
本発明は、端末装置、基地局装置、無線通信システムおよび通信方法に関する。
【背景技術】
【０００２】
第３．９世代の携帯電話の無線通信システムであるＬＴＥ（Long Term Evolution）システムの標準化が完了し、現在は第４世代の無線通信システムの１つとして、ＬＴＥシステムをより発展させたＬＴＥ−Ａ（LTE-Advanced、IMT-Aなどとも称する。）システムの標準化が行われている。
【０００３】
ＬＴＥ−ＡシステムのＲｅｌ．１１では、干渉抑圧（IS：Interference Suppression）を実現するＩＲＣ受信機（IRC Receiver：Interference Rejection Combining Receiver）がＡｄｖａｎｃｅｄ  Ｒｅｃｅｉｖｅｒとして検討された。さらに、ＬＴＥ−ＡシステムのＲｅｌ．１２では、受信機側でセル間干渉（Inter-Cell Interference）とセル内の干渉（Intra-Cell Interference）をさらに抑圧することが検討されている。そこで、Ａｄｖａｎｃｅｄ  Ｒｅｃｅｉｖｅｒとして繰り返し干渉キャンセル受信機（iterative IC receiver：iterative Interference Canceller receiver）もしくは繰り返しを行わない干渉キャンセル受信機（non-iterative IC receiver）が検討されている（非特許文献１参照）。例えば、ｉｔｅｒａｔｉｖｅ ＩＣ ｒｅｃｅｉｖｅｒには、ターボ等化受信機やターボＳＩＣ（Successive Interference Cancel）受信機があり、ｎｏｎ−ｉｔｅｒａｔｉｖｅＩＣ ｒｅｃｅｉｖｅｒにはＳＩＣ受信機がある。
【０００４】
受信機にｉｔｅｒａｔｉｖｅ／ｎｏｎ−ｉｔｅｒａｔｉｖｅ ＩＣ ｒｅｃｅｉｖｅｒを用いる端末装置は、基地局装置よりＭＵ−ＭＩＭＯ（Multi-User Multiple Input Multiple Output）伝送により送信された信号の受信時に、ＩＵＩ（Inter-User Interference）を抑圧することが提案されている（非特許文献２参照）。この場合、端末装置は、ＭＵ−ＭＩＭＯで多重されている他の端末装置（ペアリングされている端末装置）へ送信された信号を検出し、キャンセルする必要がある。端末装置がペアリングされている端末装置へ送信された信号の検出には、ペアリングされている端末装置へ通知される制御情報が必要となる。
【０００５】
ダウンリンク（基地局装置から端末装置への通信）において、基地局装置がデータ伝送に用いるリソースやＭＣＳ（Modulation and Coding Scheme）などの制御情報は、ＰＤＣＣＨ（Physical Downlink Control CHannel）より送信されるDL grantに含まれる。端末装置は、DL grantを検出するために、ユーザ固有のＩＤであるＣ―ＲＮＴＩ(Cell-Radio Network Temporary Identifier)により決定されるDL grantが配置される候補であるＳＳ（Search Space）をブラインドデコーディング（BD：Blind Decoding）する。ＢＤにより復号した結果が正しいか否かを判定する際、端末装置は制御情報に付加されているＣＲＣ（Cyclic Redundancy Check）ビットとＣ−ＲＮＴＩを排他的論理和演算した後にチェックする。
【先行技術文献】
【非特許文献】
【０００６】
【非特許文献１】RP-130404
【非特許文献２】RWS-120005
【発明の概要】
【発明が解決しようとする課題】
【０００７】
端末装置においてｉｔｅｒａｔｉｖｅ／ｎｏｎ−ｉｔｅｒａｔｉｖｅＩＣ ｒｅｃｅｉｖｅｒによる信号検出が可能な場合に、端末装置はＭＵ−ＭＩＭＯ伝送された信号受信で干渉抑圧するために、ペアリングされた他の端末装置へ通知されるDL grantの情報が必要になる。しかしながら、ペアリングされた他の端末装置のＣ−ＲＮＴＩの情報が通知されない状態で端末装置がＢＤにより検出を試みると、非常に多くの候補が存在することとなり、ＢＤの演算量が膨大になる問題があった。
【０００８】
本発明は上記の点に鑑みてなされたものであり、ＭＵ−ＭＩＭＯ伝送によるデータ受信を行う端末装置がペアリングされた他の端末装置の制御情報を受信するためのＢＤの演算量を削減する端末装置、基地局装置、及び無線通信システムを提供する。
【課題を解決するための手段】
【０００９】
（１）本発明は上記の課題を解決するためになされたものであり、本発明の一態様は、基地局装置から複数の端末装置へのマルチキャリア信号が同一時間かつ同一周波数に多重されたデータ信号を受信する端末装置であって、前記端末装置は、受信信号から信号を多重される他の端末装置固有のパラメータ、もしくはデータ信号を多重された端末装置間でのみ共通のパラメータの少なくとも一方を分離する制御情報分離部と、前記パラメータのいずれか１つに基づいて前記他の端末装置へ送信された制御情報を検出する制御情報検出部とを具備する。
【００１０】
（２）また、本発明の一態様は、前記端末装置は、検出した前記制御情報に基づいて前記他の端末装置へのマルチキャリア信号を復調する復調部と、復調した前記マルチキャリア信号をデータ信号からキャンセルするキャンセル処理部とを具備する。
【００１１】
（３）また、本発明の一態様は、前記パラメータのいずれか１つに基づいて、前記他の端末装置へ送信された前記制御情報を検出するサーチスペースを算出するＣＣＥ算出部を具備する。
【００１２】
（４）また、本発明の一態様は、前記サーチスペースは、複数の端末装置への送信信号が多重される端末装置間で共通のサーチスペースである。
【００１３】
（５）また、本発明の一態様は、前記パラメータのいずれか１つに基づいて、前記他の端末装置へ送信された前記制御情報の検出時の誤りチェックに用いるＣＲＣを算出するＣＲＣ算出部を具備する。
【００１４】
（６）また、本発明の一態様は、前記パラメータのいずれか１つに基づいて、所望のデータ信号を受信に用いる制御情報と前記他の端末装置へ送信された前記制御情報を同時に含む制御情報を検出する。
【００１５】
（７）また、本発明の一態様は、複数の端末装置へ送信するマルチキャリア信号を同一時間かつ同一周波数に多重して送信する基地局装置であって、端末装置に対して、データ信号を多重する他の端末装置へ送信する制御情報の検出に用いる前記他の端末装置固有のパラメータもしくはデータ信号を多重した端末装置間でのみ共通のパラメータの少なくとも一方を通知する。
【００１６】
（８）また、本発明の一態様は、前記パラメータのいずれか１つは、前記他の端末装置へ送信する前記制御情報を検出するサーチスペースを決定するパラメータである。
【００１７】
（９）また、本発明の一態様は、前記パラメータのいずれか１つは、前記他の端末装置へ送信する前記制御情報を検出時に誤りチェックに用いるＣＲＣを算出するためのパラメータである。
【発明の効果】
【００１８】
本発明によれば、ＭＵ−ＭＩＭＯ伝送によりデータ受信を行う端末装置は、ＢＤの演算量を大幅に増加させることなく、ペアリングされる他の端末装置の制御情報を受信できる。さらに、端末装置は、ｉｔｅｒａｔｉｖｅ／ｎｏｎ−ｉｔｅｒａｔｉｖｅＩＣ ｒｅｃｅｉｖｅｒによるデータ信号の検出における誤り率特性、スループットを向上させることが可能となる。
【図面の簡単な説明】
【００１９】
【図１】本発明に係るセルラシステムのダウンリンクの概略図である。
【図２】従来の基地局装置の構成の一例を示す概略ブロック図である。
【図３】従来の端末装置の構成の一例を示す概略ブロック図である。
【図４】第１の実施形態に係る制御情報検出部の構成の一例を示す概略ブロック図である。
【図５】第１の実施形態に係る基地局装置の構成の一例を示す概略ブロック図である。
【図６】第１の実施形態に係る端末装置の構成の一例を示す概略ブロック図である。
【図７】第１の実施形態に係る制御情報検出部の構成の一例を示す概略ブロック図である。
【図８】第１の実施形態に係るブラインドデコーディングのフローチャートの一例である。
【図９】第２の実施形態に係る基地局装置の構成の一例を示す概略ブロック図である。
【図１０】第２の実施形態に係る端末装置の構成の一例を示す概略ブロック図である。
【図１１】第２の実施形態に係る制御情報検出部の構成の一例を示す概略ブロック図である。
【図１２】第２の実施形態に係るブラインドデコーディングのフローチャートの一例である。
【図１３】第３の実施形態に係る基地局装置の構成の一例を示す概略ブロック図である。
【図１４】第３の実施形態に係るブラインドデコーディングのフローチャートの一例である。
【図１５】第４の実施形態に係る端末装置の構成の一例を示す概略ブロック図である。
【図１６】第４の実施形態に係る制御情報検出部の構成の一例を示す概略ブロック図である。
【図１７】第４の実施形態に係るブラインドデコーディングのフローチャートの一例である。
【発明を実施するための形態】
【００２０】
以下、本発明の実施形態について図面を参照して説明する。以下の各実施形態では、データ伝送を行う送信装置を基地局装置（eNB；evolved Node B）とし、データを受信する受信装置を端末装置（ユーザ装置、ＵＥ、移動局装置）とする。また、本発明は、ＬＴＥシステムを前提に説明するが、他のシステムに適用しても良い。
【００２１】
図１は、本発明に係るセルラシステムの下り回線（ダウンリンク）の概略図である。図１のセルラシステムでは、基地局装置ｅＮＢが存在し、基地局装置が構成するセル内に端末装置ＵＥ１、ＵＥ２が存在する。ここで、基地局装置ｅＮＢは、マルチキャリア伝送であるＯＦＤＭ（Orthogonal Frequency Division Multiplexing）信号をＭＵ−ＭＩＭＯ（Multi-User Multiple Input Multiple Output）伝送もしくは複数のデータ信号を同一のアンテナ（アンテナポート）で多重する非直交データ伝送により端末装置ＵＥ１、ＵＥ２への送信信号を送信する。端末装置ＵＥ１、ＵＥ２は、空間多重もしくは非直交多重で送信された信号から所望信号を検出する。以降、本発明は、非直交データ伝送にも適用可能だが、ＭＵ−ＭＩＭＯ伝送の場合のみ説明する。
【００２２】
下り回線のデータ送信を行うための、従来の基地局装置の構成の一例を示す概略ブロック図を図２に示す。図２の基地局装置では、再送制御部１０１−１〜１０１−Ｍにデータビット列が入力され、前の送信に対するＡ／Ｎが受信部１１０より入力される。ＡＣＫ（ACKnowledgement）が入力された場合、再送制御部１０１−１〜１０１−Ｍは、ＡＣＫが通知された送信信号の生成に用いたデータビット列を破棄し、新しいデータビット列を符号化部１０２−１〜１０２−Ｍに入力する。ＮＡＣＫ（Negative ACKnowledgement）が入力された場合、再送制御部１０１−１〜１０１−Ｍは、前の送信タイミングで送信したデータビット列を符号化部１０２−１〜１０２−Ｍに入力する。ここで、ＡＣＫ／ＮＡＣＫ（Ａ／Ｎ）は、端末装置毎に通知され、さらに１つの端末装置に複数の符号化されたデータビット列（コードワード）を送信する場合はコードワード単位で通知されるものとするが、バンドリングなどにより複数のコードワードを１つのＡ／Ｎで通知しても良い。以下、符号化部１０２−２〜１０２−Ｍから送信アンテナ１０８−２〜１０８−Ｍはそれぞれ符号化部１０２−１から送信アンテナ１０８−１の各ブロックと同様の処理を行うため、符号化部１０２−１から送信アンテナ１０８−１の処理のみを説明する。
【００２３】
符号化部１０２−１は、入力されたデータビット列に対し、誤り訂正符号の符号化を施す。誤り訂正符号には、例えば、ターボ符号やＬＤＰＣ（Low Density Parity Check）符号、畳み込み符号などが用いられる。符号化部１０２−１で施す誤り訂正符号の種類は、送受信装置で予め決められていても良いし、送受信機会毎に制御情報として通知されても良い。符号化部１０２−１は、ＰＤＣＣＨ（Physical Downlink Control CHannel）で端末装置に通知したＭＣＳに含まれる符号化率に基づいて、符号化ビット列に対してパンクチャを行う。符号化部１０２−１は、パンクチャした符号化ビット列を変調部１０３−１へ出力する。
【００２４】
変調部１０３−１は、符号部１０２−１から入力された符号化ビット列に対して、ＰＤＣＣＨで端末装置に通知した変調方式で変調を施すことで、変調シンボル列を生成する。変調方式には、例えば、ＱＰＳＫ（Ｑｕａｔｅｒｎａｒｙ Ｐｈａｓｅ Ｓｈｉｆｔ Ｋｅｙｉｎｇ；四相位相偏移変調）、１６ＱＡＭ（１６−ａｒｙ  Ｑｕａｄｒａｔｕｒｅ  Ａｍｐｌｉｔｕｄｅ  Ｍｏｄｕｌａｔｉｏｎ；１６直交振幅変調）や６４ＱＡＭなどがある。変調部１０３−１は、生成した変調シンボル列をプリコーディング部１１４に入力する。プリコーディング部１１４は、変調部１０３−１〜１０３−Ｍより入力された変調シンボルをレイヤに割り当てる。ここで、複数の変調シンボル列を空間多重する場合には、異なるレイヤに割り当て、空間多重しない場合には同一のレイヤに割り当てる。プリコーディング部１１４は、レイヤに割り当てた信号列にプリコーディングマトリックスを乗算し、アンテナポート毎の信号を生成し、信号割当部１０４−１〜１０４−Ｍに入力する。本明細書ではコードワード数とレイヤ数が同一として説明するが、レイヤ数とコードワード数は異なっても良い。
【００２５】
一方、受信アンテナ１０９では、端末装置からＰＵＣＣＨ（Physical Uplink Control CHannel）より送信された制御情報を受信する。ＰＵＣＣＨで送信される制御情報には、ＳＲ（Scheduling Request）やＡ／Ｎ、チャネル品質の情報であるＣＳＩ（Channel State Information）がある。受信した信号は、受信部１１０において、ダウンコンバート、Ａ／Ｄ（Ａｎａｌｏｇ／Ｄｉｇｉｔａｌ；アナログ／ディジタル）変換などの処理が施される。ＣＳＩを受信した場合には、受信部１１０はＣＳＩを抽出し、スケジューリング部１１１に入力する。なお、ＣＳＩはＰＵＳＣＨによって送信されてもよく、その場合、受信部１１０はＰＵＳＣＨに含まれるＣＳＩを抽出し、スケジューリング部１１１に入力する。受信部１１０は、Ａ／Ｎを受信した場合、Ａ／Ｎを抽出し、再送制御部１０１−１〜１０１−Ｍへ入力する。
【００２６】
スケジューリング部１１１は、複数の端末装置のＣＳＩが入力されており、次回の伝送タイミングでダウンリンクのデータを伝送する端末装置を選択し、ＣＳＩに基づいて周波数リソース割当やランク、ＭＣＳ（Modulation and Coding Scheme）、ＰＭＩ（Precoding Matrix Indicator）、アンテナポート番号などのダウンリンク伝送に用いる通信パラメータを決定する。決定した通信パラメータは、制御情報生成部１１２に入力される。制御情報生成部１１２は、入力された通信パラメータを通知する端末装置毎に制御情報フォーマット（DCI format: Downlink Control Information format）に変換し、生成した制御情報フォーマットを制御情報多重部１０５−１〜１０５−Ｍに入力する。ＭＵ−ＭＩＭＯに使用可能なＤＣＩフォーマットには、Ｆｏｒｍａｔ２Ｃなどがある。端末装置毎に設定される送信モード（Transmission Mode）が定義されており、Ｆｏｒｍａｔ２Ｃが使用可能な送信モードが設定されている端末装置は、ＭＵ−ＭＩＭＯが可能となる。また、制御情報生成部１１２は、ＲＲＣ（Ｒａｄｉｏ  Ｒｅｓｏｕｒｃｅ  Ｃｏｎｔｒｏｌ）シグナリングで通知するＣ−ＲＮＴＩ（Radio Network Temporary Identifier）などの通知タイミングでは、ＲＲＣによる制御情報も制御情報多重部１０５−１〜１０５−Ｍに入力する。
【００２７】
信号割当部１０４−１は、ＰＤＣＣＨ（Physical Downlink Control CHannel）で端末装置に通知した周波数リソース割当の情報に基づいて変調シンボル列を周波数帯域に配置する。ここで、ＳＵ−ＭＩＭＯ（Single User MIMO）やＭＵ−ＭＩＭＯの場合には、空間多重する信号を異なるレイヤで同一のリソースに割り当てる。信号割当部１０４−１は、参照信号生成部１１３より生成された参照信号も入力され、参照信号もダウンリンクのデータ信号に多重する。本明細書における参照信号は、ＣＲＳ（Common Reference Signal）やＣＳＩ−ＲＳ（Channel State Information−Reference Signal）、ＤＭＲＳ（De-Modulation Reference Signal）などがある。信号割当部１０４−１は、参照信号を多重した送信信号を制御情報多重部１０５−１に出力する。
【００２８】
制御情報多重部１０５−１は、参照信号が多重された信号が入力され、制御情報生成部１１２より端末装置へ通知する制御情報が入力され、制御情報と参照信号が多重されたデータ信号を多重する。制御情報多重部１０５−１は、制御信号を多重した信号をＩＦＦＴ部１０６−１に入力する。ここで、制御情報を多重するリソースは、ユーザ固有のＩＤであるＣ−ＲＮＴＩにより決定される複数の候補であるＳＳ（Search Space）の中の１つとする。ＳＳの詳細は、後述する。
【００２９】
ＩＦＦＴ部１０６−１は、制御情報多重部１０５−１から制御信号が多重された信号が入力され、入力された信号を逆高速フーリエ変換することで、周波数領域信号列から時間領域信号列に変換する。時間領域信号列は、送信処理部１０７−１に入力される。送信処理部１０７−１は、時間領域信号列にＣＰ（Cyclic Prefix；サイクリックプレフィックス）を挿入し、Ｄ／Ａ（Digital/Analog；ディジタル／アナログ）変換でアナログの信号に変換し、変換後の信号を伝送に使用する無線周波数にアップコンバートする。送信処理部１０７−１は、アップコンバートした信号を、ＰＡ（Power Amplifier）で増幅し、増幅後の信号を、送信アンテナ１０８−１を介して送信する。符号化部１０２−１〜１０２−Ｍから送信アンテナ１０８−１〜１０８−Ｍは上記説明と同様の処理を行う。
【００３０】
図３に、従来の端末装置の構成の一例を示す概略ブロック図を示す。同図では、データの受信に用いる受信アンテナ数をＮとしている。Ｎは１以上の整数とする。受信アンテナ２０１−１〜２０１−Ｎは、基地局装置より送信された信号を受信し、受信処理部２０２−１〜２０２−Ｎに受信信号を入力する。以下、受信処理部２０２−２〜２０２−Ｎから割当信号抽出部２０６−２〜２０６−Ｎは、それぞれ受信処理部２０２−１から割当信号抽出部２０６−１の各ブロックと同様の処理を行うため、受信処理部２０２−１から割当信号抽出部２０６−１の処理のみを説明する。
【００３１】
受信処理部２０２−１は、受信アンテナ２０１−１で受信した信号をベースバンド周波数にダウンコンバートし、ダウンコンバートした信号に対してＡ／Ｄ（Analog/Digital；アナログ／ディジタル）変換を行うことでディジタル信号を生成する。さらに、受信処理部２０２−１はディジタル信号からＣＰを除去し、ＣＰを除去した受信信号列をＦＦＴ部２０３−１に入力する。
【００３２】
ＦＦＴ部２０３−１は、入力された受信信号列を高速フーリエ変換により時間領域信号列から周波数領域信号列に変換し、周波数領域信号列を参照信号分離部２０４−１に入力する。参照信号分離部２０４−１は、入力された周波数領域信号列から参照信号列を分離する。参照信号分離部２０４−１は、分離した参照信号列を伝搬路推定部２１２に入力し、参照信号列を分離した残りの受信信号列を制御情報分離部２０５−１に入力する。
【００３３】
伝搬路推定部２１２は、参照信号分離部２０４−１〜２０４−Ｎから入力された送受信装置で既知の参照信号列により、伝搬路の周波数応答を推定する。伝搬路推定部２１２は、推定した周波数応答を制御情報生成部２１３とＭＩＭＯ分離部２０８に入力する。制御情報生成部２１３は、ＣＳＩを基地局装置へ通知する場合には推定した伝搬路の周波数応答を用いる。
【００３４】
一方、制御情報分離部２０５−１は、参照信号列が分離された周波数領域信号列をＰＤＣＣＨの信号列（制御信号列）とＰＤＳＣＨの信号列（データ信号列）に分離し、ＰＤＣＣＨの信号列を制御情報検出部２１６に入力し、ＰＤＳＣＨの信号列を割当信号抽出部２０６−１に入力する。また、ＲＲＣシグナリングの制御情報を受信した場合、制御情報分離部２０５−１は、制御情報として分離し、制御情報検出部２１６に入力する。ただし、ＲＲＣシグナリングによりＣ−ＲＮＴＩを受信した場合、制御情報分離部２０５−１は識別子記憶部２１７に入力する。識別子記憶部２１７は、入力されたＣ−ＲＮＴＩを記憶する。
【００３５】
制御情報検出部２１６は、制御情報分離部２０５−１〜２０５−ＮよりＰＤＣＣＨの信号列が入力される。さらに、基地局装置より通知されたＣ−ＲＮＴＩが識別子記憶部２１７で保持されており、Ｃ−ＲＮＴＩも制御情報検出部２１６に入力される。制御情報検出部２１６の構成の一例を示す概略ブロック図を図４に示す。制御情報検出部２１６は、識別子記憶部２１７より入力されたＣ−ＲＮＴＩをＣＣＥ算出部２１６１とＣＲＣ算出部２１６４に入力する。制御情報検出部２１６において、制御情報分離部２０５−１〜２０５−Ｎより入力されたＰＤＣＣＨの信号列は制御情報復号部２１６２に入力される。ＣＣＥ算出部２１６１は、入力されたＣ−ＲＮＴＩよりブラインドデコーディングするリソースのインデックスを算出し、さらに復号する信号の長さを予め決められたテーブルより抽出し、これらの情報を制御情報復号部２１６２に入力する。具体的には、ＳＳのブラインドデコーディングする位置は次式で決定される。
【００３６】
【数１】
2014204254.tif 000003
…式（１）
【００３７】
ただし、Ｌ∈｛１，２，４，８｝はａｇｇｒｅｇａｔｉｏｎ  ｌｅｖｅｌであり、ＮＣＣＥ，ｋはサブフレームにおけるＣＣＥ（Control Channel Element）の総数であり、ｉは０≦ｉ≦Ｌ−１であり、ｆｌｏｏｒ（・）は床関数であり、ｍ’は次式で定義される。
【００３８】
【数２】
2014204254.tif 000004
…式（２）
【００３９】
ただし、Ｍ（Ｌ）は図１８の表１で定義されるＰＤＣＣＨの候補数であり、ｍは０≦ｍ≦Ｍ（Ｌ）−１であり、ｎＣＩはCarrier Indicator Field Valueであり、端末装置がこのフィールドを設定されていない場合はｎＣＩ＝０となる。また、Ｙｋは次式で定義される。
【００４０】
【数３】
2014204254.tif 000005
…式（３）
【００４１】
ただし、ｋはｆｌｏｏｒ（ｎｓ／２）であり、ｎｓはフレーム内のスロット番号、Ｄ＝６５５３７、Ａ＝３９８２７である。初期値であるＹ−１＝ｎＲＮＴＩ≠０であり、ｎＲＮＴＩはＣ−ＲＮＴＩであることからユーザ毎にＳＳが異なる。また、ＹｋはＵＳＳ（UE-specific SS）は式（３）で算出するが、全ユーザ共通のＳＳであるＣＳＳ（Common SS）も存在し、この場合はＹｋ＝０となる。
【００４２】
制御情報復号部２１６２は、入力されたインデックスと信号の長さにより、ＰＤＣＣＨの信号列を復号する。制御情報復号部２１６２は、復号後の信号を誤り判定部２１６３に入力し、制御情報に付加されているＣＲＣビット列をＣＲＣ算出部２１６４に入力する。
【００４３】
ＣＲＣ算出部２１６４は、入力されたＣＲＣビット列とＣ−ＲＮＴＩを排他的論理和（ＸＯＲ）による演算を行い、演算結果のビット列を誤り判定部２１６３に入力する。ここで、Ｃ−ＲＮＴＩはユーザ固有に割り当てられた識別子のため、各端末は自局宛ての制御情報のみを検出することが可能となる。誤り判定部２１６３は、復号後の制御情報に対して、ＣＲＣによる誤りの有無の判定を行う。誤りなしと判定された場合は、誤り判定部２１６３は、周波数リソース割当を図３の割当信号抽出部２０６−１〜２０６〜Ｎに入力する。また、誤り判定部２１６３は、図示していないがＭＣＳなどの情報も図３の復調部２０８−１〜２０８−Ｃ、復号部２０９−１〜２０９−Ｃに入力する。誤りが検出された場合は、誤り判定部２１６３は、ＣＣＥ算出部２１６１に通知する。この場合、ＣＣＥ算出部２１６１は、ＳＳの別の候補の算出し、制御情報復号部２１６２に入力する。このように、制御情報検出部２１６は、ＳＳの候補を予め決められた回数だけ復号するブラインドデコーディングで制御情報を検出する。
【００４４】
図３に戻り、割当信号抽出部２０６−１は、制御情報検出部２１６より周波数リソース割当の情報が入力され、周波数領域信号列から基地局装置より送信されたデータ信号列を抽出し、ＭＩＭＯ分離部２０８に入力する。ＭＩＭＯ分離部２０８は、伝搬路推定部２１２より入力された伝搬路の周波数応答よりＭＭＳＥ規範に基づく等化重みを生成し、入力された周波数領域のデータ信号列に対して重みを乗算することでＭＩＭＯ多重された信号を分離する。ＭＩＭＯ分離部２０８は、分離した信号列を復調部２０９−１〜２０９−Ｃに入力する。ただし、Ｃは１以上の整数とする。ＭＩＭＯ分離部２０８での信号処理は、ＺＦ（Zero Forcing）基準等の他の基準の空間フィルタリングや、ＭＬＤ（Maximum Likelihood Detection）等の他の検出法を適用してもよい。
【００４５】
復調部２０９−１〜２０９−Ｃは、ＰＤＣＣＨにより通知された変調方式の情報に応じて周波数領域の受信信号列に対して復調処理を施し、ビット系列のＬＬＲ（Log Likelihood Ratio）、つまりＬＬＲ列を得る。復調部２０９−１〜２０９−Ｃは、復調で得られたＬＬＲ列を復号部２１０−１〜２１０−Ｃに出力する。復号部２１０−１〜２１０−Ｃは、ＰＤＣＣＨにより通知された符号化率の情報に応じて入力されたＬＬＲ列に対して復号処理を行う。誤り判定部２１１−１〜２１１−Ｃは、入力された復号後のＬＬＲ列をコードワード毎に硬判定し、誤りが無かった場合にはビット列を送信データとして得る。また、誤りの有無を制御情報生成部２１３に入力する。
【００４６】
制御情報生成部２１３は、基地局装置へ通知するＡ／Ｎの情報が誤り判定部２１１−１〜２１１−Ｃより入力され、ＣＳＩを送信する場合は伝搬路推定部２１２より参照信号列より推定した伝搬路情報が入力される。制御情報生成部２１３は、入力された情報をアップリンク（端末装置から基地局装置への通信）の制御情報であるＰＵＣＣＨのフォーマットの信号に変換し、制御信号列を制御情報送信部２１４に入力する。制御情報送信部２１４は、制御情報生成部２１３より入力された制御信号列を所定の送信電力に増幅した後に送信アンテナ２１５を介して送信する。
【００４７】
ここで、図３は、基地局装置からコードワード数がＣのデータを受信する端末装置について説明したが、Ｃは１以上の整数とする。基地局装置がＭＵ−ＭＩＭＯ伝送により複数の端末装置宛てのデータを空間多重しており、端末装置が１コードワードのデータ（Ｃ＝１）を受信する場合、端末装置はＭＩＭＯ分離部２０８より所望信号のみを抽出し、復調部２０９−１から誤り判定部２１１−１までの処理を施すことでデータ信号を検出する。また、ＭＩＭＯ分離部２０８は、制御情報検出部２１６より制御情報で通知されたデータ伝送に用いられたアンテナポート数が通知され、このアンテナポート情報が入力される。
【００４８】
（第１の実施形態）
本発明の第１の実施形態では、端末装置がＳＩＣによる干渉キャンセルが可能な場合に、基地局装置よりＭＵ−ＭＩＭＯで複数の端末装置のデータが空間多重されている信号の受信について説明する。従来の端末装置では、ＭＵ−ＭＩＭＯで多重される他の端末装置の制御情報を検出するには、ＳＳが端末装置毎に違うことやブラインドデコーディングの誤り判定に用いるＣ−ＲＮＴＩも端末装置固有の値であることから、膨大な数のブラインドデコーディングが必要である。そのため、本実施形態では、ペアリングされる他の端末装置とＵＳＳを一致させ、さらにＭＵ−ＭＩＭＯでペアリングされる他の端末装置のＣ−ＲＮＴＩを通知する例について説明する。
【００４９】
本発明の第１の実施形態に係る基地局装置の構成の一例を示す概略ブロック図を図５に示す。同図と従来の基地局装置の構成例である図２の差異は、スケジューリング部３１１、制御情報生成部３１２と制御情報多重部３０５−１〜３０５−Ｍのみである。その他は同様であるため説明を省略する。
【００５０】
スケジューリング部３１１は、複数の端末装置から受信したＣＳＩが入力され、次回の伝送タイミングでダウンリンクのデータを伝送する端末装置を選択や周波数リソース割当などを決定する。ここで、スケジューリング部３１１はＭＵ−ＭＩＭＯ伝送する場合にペアリングする端末装置の組合せも決定する。ペアリングされた端末装置には、ペアリングされた他の端末装置のＣ−ＲＮＴＩであるＩｏｔｈｅｒとペアリングされた端末装置が共通でブラインドデコーディングするＳＳを決定するＭＵ−ＲＮＴＩが通知される。そのため、スケジューリング部３１１はＩｏｔｈｅｒとＭＵ−ＲＮＴＩを制御情報生成部３１２に入力する。
【００５１】
制御情報生成部３１２は、入力された通信パラメータを通知する端末装置毎に制御情報フォーマットに変換し、生成した制御情報フォーマットを制御情報多重部１０５−１〜１０５−Ｍに入力する。ここで、本実施形態では制御情報生成部３１２は、ＭＵ−ＭＩＭＯ伝送によりデータ信号列を送信する場合、ＭＵ−ＭＩＭＯ伝送で多重する全端末装置に同一制御情報フォーマットを使用していることを前提として説明する。つまり、ＭＵ−ＭＩＭＯ伝送で多重する全端末装置は同一の送信モードを前提として説明する。制御情報生成部３１２は、ＲＲＣシグナリングで通知するＣ−ＲＮＴＩやＭＵ−ＲＮＴＩ、Ｉｏｔｈｅｒを通知するタイミングではＲＲＣによる制御情報も制御情報多重部１０５−１〜１０５−Ｍに入力する。
【００５２】
本実施形態では、基地局装置は、ＲＲＣシグナリングよりＭＵ−ＲＮＴＩ、Ｉｏｔｈｅｒを端末装置に通知後にＭＵ−ＭＩＭＯ伝送を行う。
【００５３】
本発明の第１の実施形態に係る端末装置の構成の一例を示す概略ブロック図を図６に示す。同図と従来の端末装置の構成例である図３の差異は、制御情報分離部４０５−１〜４０５−Ｎ、制御情報検出部４１６と識別子記憶部４１７、キャンセル処理部４０７、ＭＩＭＯ分離部４０８、復調部４０９−１〜４０９−Ｐ、復号部４１０−１〜４１０−Ｐ、誤り判定部４１１−１〜４１１−Ｐ、シンボルレプリカ生成部４１８−１〜４１８−Ｐ、ソフトレプリカ生成部４１９−１〜４１９−Ｐである。その他は同様であるため説明を省略する。
【００５４】
まず、制御情報分離部４０５−１〜４０５−Ｎは、参照信号列が分離された周波数領域信号列をＰＤＣＣＨの信号列（制御信号列）とＰＤＳＣＨの信号列（データ信号列）に分離し、ＰＤＣＣＨの信号列を制御情報検出部４１６に入力し、ＰＤＳＣＨの信号列を割当信号抽出部２０６−１〜２０６−Ｎに入力する。また、ＲＲＣシグナリングの制御情報を受信した場合も、制御情報分離部４０５−１〜４０５−Ｎは、制御情報として分離し、制御情報検出部４１６に入力する。ただし、ＲＲＣシグナリングによりＣ−ＲＮＴＩ、ＭＵ−ＲＮＴＩやＩｏｔｈｅｒを受信した場合、制御情報分離部４０５−１〜４０５−Ｎは識別子記憶部４１７に入力する。識別子記憶部４１７は、入力されたＣ−ＲＮＴＩ、ＭＵ−ＲＮＴＩとＩｏｔｈｅｒを記憶する。
【００５５】
本発明の第１の実施形態に係る制御情報検出部４１６の構成の一例を示す概略ブロック図を図７に示す。制御情報検出部４１６には、制御情報分離部４０５−１〜４０５−ＮよりＰＤＣＣＨの信号列が入力される。さらに、基地局装置より通知されたＣ−ＲＮＴＩ、ＭＵ−ＲＮＴＩとＩｏｔｈｅｒが識別子記憶部４１７で保持されており、ＭＵ−ＲＮＴＩがＣＣＥ算出部４１６１に入力され、Ｃ−ＲＮＴＩ、ＭＵ−ＲＮＴＩとＩｏｔｈｅｒのすべてが識別子選択部４１６５に入力される。ＣＣＥ算出部４１６１は、ＭＵ−ＲＮＴＩであるｎＭＵ−ＲＮＴＩが入力され、ＵＳＳをブラインドデコーディングする位置を算出する。算出方法は、従来と同様に式（１）〜式（３）を用いるが、式（３）の初期値のみが異なり、次式となる。
【００５６】
【数４】
2014204254.tif 000006
…式（４）
【００５７】
式（４）は、ＭＵ−ＭＩＭＯでペアリングされる他の端末装置も同様のｎＭＵ−ＲＮＴＩが通知され、ＵＳＳが完全に一致することを意味する。ＣＣＥ算出部４１６１は、上記の様にブラインドデコーディングするリソースのインデックスを算出し、さらに復号する信号の長さを予め決められたテーブルより抽出し、これらの情報を制御情報復号部４１６２に入力する。制御情報復号部４１６２は、入力されたインデックスと信号の長さにより、ＰＤＣＣＨの信号列を復号する。制御情報復号部４１６２は、復号後の信号を誤り判定部４１６３に入力し、制御情報に付加されているＣＲＣビット列をＣＲＣ算出部４１６４に入力する。
【００５８】
識別子選択部４１６５は、復号後の信号の１回目の誤り判定時にはＣＲＣ算出部４１６４にＣ−ＲＮＴＩを入力する。ＣＲＣ算出部４１６４は、入力されたＣＲＣビット列とＣ−ＲＮＴＩを排他的論理和による演算を行い、誤り判定部４１６３に入力する。誤り判定部４１６３では、自局宛てのＰＤＣＣＨの制御情報として誤りなく復号できたかをチェックする。ここで、誤りがないと判定された場合には、従来と同様に自局宛てのＰＤＣＣＨの制御情報として処理する。誤りが検出された場合には、誤り判定部４１６３は誤り検出情報を識別子選択部４１６５に入力する。識別子選択部４１６５は、２回目の誤り判定時にはＣＲＣ算出部４１６４にペアリングされた他の端末装置のＣ−ＲＮＴIであるＩｏｔｈｅｒの情報を入力する。ＣＲＣ算出部４１６４は、入力されたＣＲＣビット列とＩｏｔｈｅｒを排他的論理和による演算を行い、誤り判定部４１６３に入力する。誤り判定部４１６３では、ペアリングされた他の端末装置宛てのＰＤＣＣＨの制御情報として誤りなく復号できたかをチェックする。ここで、誤りがないと判定された場合には、ＭＵ−ＭＩＭＯ伝送でデータを受信したと判断し、検出したＰＤＣＣＨを干渉キャンセル処理に使用するために出力する。このペアリングされた他の端末装置宛てのＰＤＣＣＨの制御情報は、周波数リソース割当を図６の割当信号抽出部２０６−１〜２０６〜Ｎに入力される。また、図示していないが、ペアリングされた他の端末装置宛てのＰＤＣＣＨの制御情報に含まれるＭＣＳの情報は図６の復調部２０８−１〜２０８−Ｃ、復号部２０９−１〜２０９−Ｃに入力される。Ｃ−ＲＮＴIとＩｏｔｈｅｒの両方で誤りが検出された場合は、誤り判定部４１６３は、ＣＣＥ算出部４１６１に通知する。この場合、ＣＣＥ算出部４１６１は、ＳＳの別の候補の算出し、制御情報復号部４１６２に入力する。このように、制御情報検出部４１６は、ＳＳの候補を予め決められた回数だけ復号するブラインドデコーディングで制御情報を検出する。
【００５９】
図８は、本実施形態におけるブラインドデコーディングに係るフローチャートの一例である。ステップＳ１０では、特定の受信タイミングにおける制御情報の復号回数であるブラインドデコーディング回数が所定の値以内であれば、ステップＳ１１に移行し、ブラインドデコーディング回数が所定の値を超える場合は処理を終える。ステップＳ１１では、ＣＣＥ算出部４１６１において式（１）〜式（４）を用いてＵＳＳのブラインドデコーディングする位置（インデックス）を算出し、インデックスと信号の長さを出力する。ステップＳ１２では、制御情報復号部４１６２において入力されたインデックスと信号の長さにより、ＰＤＣＣＨの信号列を復号する。ステップＳ１３では、ＣＲＣビット列とＣ−ＲＮＴＩを排他的論理和演算により得られたビット列で誤り判定を行い、誤りが検出された場合はステップＳ１４に移行し、誤りが検出されなかった場合はステップＳ１５に移行する。ステップＳ１４では、ＣＲＣビット列とＩｏｔｈｅｒを排他的論理和演算により得られたビット列で誤り判定を行い、誤りが検出された場合はステップＳ１０に戻り、ブラインドデコーディング回数が所定の値以内であれば、ＳＳの別の候補のＣＣＥを算出する。また、誤りが検出されなかった場合はステップＳ１５に移行する。ステップＳ１５では、Ｃ−ＲＮＴＩとＩｏｔｈｅｒの両方で制御情報を検出した場合は処理を終わる。いずれか一方の制御情報のみ検出している場合は、ステップＳ１０に戻る。以上のように、ＭＵ−ＭＩＭＯ伝送では制御情報の検出を行う。
【００６０】
図６のキャンセル処理部４０７では、ソフトレプリカ生成部４１９−１〜４１９−Ｐよりソフトレプリカが入力された場合にはキャンセル処理を行う。ただし、Ｐはコードワード数である。ソフトレプリカが入力されない場合は何もしない。ＭＩＭＯ分離部４０８では、制御情報検出部４１６から自局宛ての信号が送信されたアンテナポート情報とＭＵ−ＭＩＭＯでペアリングされた他の端末装置のデータ伝送に用いられたアンテナポート情報が入力され、伝搬路推定部２１２によりアンテナポート毎の周波数応答に基づいて、信号を分離する。信号の分離には、ＭＭＳＥ規範に基づく等化重みを用いても良いし、ＺＦ基準等の他の基準の空間フィルタリングや、ＭＬＤ（Maximum Likelihood Detection）等の他の検出法を適用してもよい。
【００６１】
以降の処理は、ｎｏｎ−ｉｔｅｒａｔｉｖｅ ＩＣ ｒｅｃｅｉｖｅｒであるＳＩＣ処理を前提に説明する。まず、復調部４０９−１〜４０９−Ｐは、制御情報検出部４１６で検出したＭＵ−ＭＩＭＯでペアリングされた他の端末装置のＭＣＳに含まれる変調多値数に基づいて、ペアリングされた他の端末装置の信号を復調し、ＬＬＲ列を得る。ここで、Ｐは他の端末装置のコードワード数とする。復号部４１０−１〜４１０−Ｐは、ＭＵ−ＭＩＭＯでペアリングされた他の端末装置のＭＣＳに含まれる符号化率に基づいて、入力されたＬＬＲ列に対して復号処理を行う。誤り判定部４１１−１〜４１１−Ｐは、入力された復号後のＬＬＲ列がＭＵ−ＭＩＭＯでペアリングされた他の端末装置の信号の場合、シンボルレプリカ生成部４１８−１〜４１８−Ｐに復号後のＬＬＲ列を入力する。シンボルレプリカ生成部４１８−１〜４１８−Ｐは、復号のＬＬＲ列を他の端末装置のデータ伝送に用いられた変調多値数に応じてシンボルレプリカに変換し、ソフトレプリカ生成部４１９−１〜４１９−Ｐに入力する。ソフトレプリカ生成部４１９−１〜４１９−Ｐでは、推定した周波数応答を乗算してソフトレプリカを算出し、キャンセル処理部４０７へ入力する。次に、キャンセル処理部４０７から干渉キャンセル後の信号がＭＩＭＯ分離部４０８に入力される。ＭＩＭＯ分離部４０８では、自局宛ての信号を検出し、復調部４０９−１〜４０９−Ｐに入力する。ここで、Ｐは自局宛ての信号のコードワード数である。本明細書では、説明を簡単にするためＭＵ−ＭＩＭＯでペアリングされた他の端末装置と同一のコードワード数であるが、端末装置毎にコードワード数は変わっても良い。復調処理と復号処理後に得られるＬＬＲ列は、誤り判定部４１１−１〜４１１−Ｐでコードワード毎に硬判定され、誤り判定される。誤りが無かった場合にはビット列を送信データとして得る。また、誤りの有無を制御情報生成部２１３に入力する。
【００６２】
本実施形態では、ＭＵ−ＭＩＭＯで多重されるユーザ数をｕ＝２として説明したが、ＭＵ−ＭＩＭＯで多重されるユーザ数ｕを３以上としても適用できる。その場合は、ＭＵ−ＭＩＭＯでペアリングされる他の端末装置のＣ−ＲＮＴIであるＩｏｔｈｅｒをｕ−１だけ通知すれば良く、ブラインドデコーディング回数はｕ＝２と同様で実現できる。また、キャンセル処理部４０７から誤り判定部４１１−１〜４１１−Ｐまでの処理はＭＵ−ＭＩＭＯで多重されるユーザ毎に行われるが、伝搬路特性やＭＣＳ、コードワード数の情報などによりオーダリングしても良い。また、本実施形態では、ｎｏｎ−ｉｔｅｒａｔｉｖｅ ＩＣ ｒｅｃｅｉｖｅｒであるＳＩＣ処理を前提としていたが、ｉｔｅｒａｔｉｖｅＩＣ ｒｅｃｅｉｖｅｒであるターボ等化やターボＳＩＣにも適用可能である。この場合は、自局宛ての信号を検出後、誤り判定部４１１−１〜４１１−Ｐで誤りが検出された場合に、シンボルレプリカ生成部４１８−１〜４１８−Ｐ、ソフトレプリカ生成部４１９−１〜４１９−Ｐより自局宛ての信号のソフトレプリカを生成し、再度、ＭＵ−ＭＩＭＯでペアリングされた他の端末装置の信号を検出し、精度の高い干渉信号のレプリカを得ることができる。この精度の高い干渉信号のレプリカを用いて、再度自局宛ての信号を検出することにより、誤り率特性を改善することが可能である。また、ダウンリンクでは、端末装置毎に送信モード（Transmission Mode）が設定されており、特定の送信モードの場合のみＭＵ−ＭＩＭＯ伝送が可能となっている。そのため、端末装置は本実施形態で説明した制御情報の検出をＭＵ−ＭＩＭＯ伝送が可能な送信モードが設定されている場合のみに行っても良い。また、本実施形態では、ＭＵ−ＭＩＭＯで多重される全端末が同一の送信モードが設定されているとして説明したが、異なる送信モードが設定されても良い。また、本実施形態の基地局装置は、ＭＵ−ＭＩＭＯで多重される全端末が同一のＤＣＩフォーマットで制御情報を通知するとして説明したが、異なるＤＣＩフォーマットで通知しても良い。その場合は、端末装置は、異なるＤＣＩフォーマットのブラインドデコーディングをする。
【００６３】
以上により、本実施形態では基地局装置がＭＵ−ＭＩＭＯ伝送でダウンリンクのデータ伝送を行い、端末装置がＳＩＣによる干渉キャンセルが可能な場合に、ＭＵ−ＭＩＭＯでペアリングされた端末装置のＳＳを一致される信号と、ＭＵ−ＭＩＭＯでペアリングされた他の端末装置のＣ−ＲＮＴＩを通知する。それにより、ブラインドデコーディング回数を増加させることなく、ＭＵ−ＭＩＭＯでペアリングされた他の端末装置の制御情報を検出することが可能となる。その結果、端末装置は所望の信号を検出する際に、ＭＵ−ＭＩＭＯでペアリングされた他の端末装置の信号を検出し、干渉キャンセルに用いることができ、誤り率特性やスループットを向上させることが可能となる。
【００６４】
（第２の実施形態）
本発明の第２の実施形態では、前実施形態と同様に端末装置がＳＩＣによる受信が可能であり、基地局装置よりＭＵ−ＭＩＭＯ伝送で送信されたデータの受信について説明する。従来の端末装置では、ＭＵ−ＭＩＭＯで多重される他の端末装置の制御情報を検出するには、ＳＳが端末装置毎に違うことやブラインドデコーディングの誤り判定に用いるＣ−ＲＮＴＩも端末装置固有の値であることから、膨大な数のブラインドデコーディングが必要である。そのため、本実施形態では、ユーザ固有のＣ−ＲＮＴＩとは別にペアリングされる他の端末装置と共通のＣ−ＲＮＴＩを通知し、共通のＣ−ＲＮＴＩを用いて制御情報を通知する例について説明する。
【００６５】
本発明の第２の実施形態に係る基地局装置の構成の一例を示す概略ブロック図を図９に示す。同図と第１の実施形態の基地局装置の構成例である図５の差異は、スケジューリング部５１１と制御情報生成部５１２のみである。その他は同様であるため説明を省略する。
【００６６】
スケジューリング部５１１は、複数の端末装置から受信したＣＳＩが入力され、次回の伝送タイミングでダウンリンクのデータを伝送する端末装置を選択や周波数リソース割当などを決定する。ここで、スケジューリング部５１１はＭＵ−ＭＩＭＯ伝送する場合にペアリングする端末装置の組合せも決定する。ペアリングされた端末装置には、ペアリングされた他の端末装置と共通でブラインドデコーディングするＳＳを決定するＭＵ−ＲＮＴＩを通知される。そのため、スケジューリング部５１１はＭＵ−ＲＮＴＩを制御情報生成部５１２に入力する。
【００６７】
制御情報生成部５１２は、入力された通信パラメータを通知する端末装置毎に制御情報フォーマットに変換し、生成した制御情報フォーマットを制御情報多重部１０５−１〜１０５−Ｍに入力する。また、制御情報生成部５１２は、ＲＲＣシグナリングで通知するＣ−ＲＮＴＩやＭＵ−ＲＮＴＩを通知するタイミングではＲＲＣによる制御情報も制御情報多重部１０５−１〜１０５−Ｍに入力する。本実施形態では、ＲＲＣシグナリングよりＭＵ−ＲＮＴＩを通知後にＭＵ−ＭＩＭＯ伝送を行う。
【００６８】
制御情報生成部５１２は、上記の制御情報に加えて、本実施形態ではペアリングされた端末装置の制御情報を含むＭＵ−ＭＩＭＯ伝送用の制御情報を生成し、制御情報多重部１０５−１〜１０５−Ｍに入力する。このＭＵ−ＭＩＭＯ伝送用の制御情報は、具体的には端末装置がＳＩＣ受信に用いる周波数リソース割当、ＭＣＳやアンテナポートなどの情報であり、ペアリングされた全端末装置の情報が含まれている。ここで、本実施形態ではスケジューリング部５１１より入力された通信パラメータを通知する制御情報とペアリングされた端末装置の制御情報を含むＭＵ−ＭＩＭＯ伝送用の制御情報が同一サイズであることを前提として説明する。
【００６９】
本発明の第２の実施形態に係る端末装置の構成の一例を示す概略ブロック図を図１０に示す。同図と従来の端末装置の構成例である図６の差異は、制御情報分離部６０５−１〜６０５−Ｎ、制御情報検出部６１６と識別子記憶部６１７である。その他は同様であるため説明を省略する。
【００７０】
まず、制御情報分離部６０５−１〜６０５−Ｎでは、参照信号列が分離された周波数領域信号列をＰＤＣＣＨの信号列（制御信号列）とＰＤＳＣＨの信号列（データ信号列）に分離し、ＰＤＣＣＨの信号列を制御情報検出部６１６に入力し、ＰＤＳＣＨの信号列を割当信号抽出部２０６−１〜２０６−Ｎに入力する。また、ＲＲＣシグナリングの制御情報を受信した場合も、制御情報分離部６０５−１〜６０５−Ｎは、制御情報として分離し、制御情報検出部６１６に入力する。ただし、ＲＲＣシグナリングによりＣ−ＲＮＴＩやＭＵ−ＲＮＴＩを受信した場合、制御情報分離部６０５−１〜６０５−Ｎは識別子記憶部６１７に入力する。識別子記憶部６１７は、入力されたＣ−ＲＮＴＩ、ＭＵ−ＲＮＴＩを記憶する。
【００７１】
本発明の第１の実施形態に係る制御情報検出部６１６の構成の一例を示す概略ブロック図を図１１に示す。制御情報検出部６１６は、制御情報分離部６０５−１〜６０５−ＮよりＰＤＣＣＨの信号列が入力される。さらに、基地局装置より通知されたＣ−ＲＮＴＩ、ＭＵ−ＲＮＴＩが識別子記憶部６１７で保持されており、ＭＵ−ＲＮＴＩがＣＣＥ算出部４１６１に入力され、Ｃ−ＲＮＴＩとＭＵ−ＲＮＴＩが識別子選択部６１６５に入力される。ＣＣＥ算出部４１６１は、第１の実施形態と同様に、ＵＳＳのブラインドデコーディングする位置を算出し、さらに復号する信号の長さを予め決められたテーブルより抽出し、これらの情報を制御情報復号部４１６２に入力する。制御情報復号部４１６２は、入力されたインデックスと信号の長さにより、ＰＤＣＣＨの信号列を復号する。制御情報復号部４１６２は、復号後の信号を誤り判定部４１６３に入力し、制御情報に付加されているＣＲＣビット列をＣＲＣ算出部６１６４に入力する。
【００７２】
識別子選択部６１６５は、復号後の信号の１回目の誤り判定時にはＣＲＣ算出部６１６４にＣ−ＲＮＴＩを入力する。ＣＲＣ算出部６１６４は、入力されたＣＲＣビット列とＣ−ＲＮＴＩを排他的論理和による演算を行い、誤り判定部４１６３に入力する。誤り判定部４１６３では、自局宛てのＰＤＣＣＨの制御情報として誤りなく復号できたかをチェックする。ここで、誤りがないと判定された場合には、従来と同様に自局宛てのＰＤＣＣＨの制御情報として処理する。誤りが検出された場合には、誤り判定部４１６３は誤り検出情報を識別子選択部６１６５に入力する。識別子選択部６１６５は、２回目の誤り判定時にはＣＲＣ算出部６１６４にＭＵ−ＲＮＴIを入力する。ＣＲＣ算出部６１６４は、入力されたＣＲＣビット列とＭＵ−ＲＮＴIを排他的論理和による演算を行い、誤り判定部４１６３に入力する。誤り判定部４１６３では、ＭＵ−ＭＩＭＯ伝送用の制御情報を誤りなく復号できたかをチェックする。ここで、誤りがないと判定された場合には、ＭＵ−ＭＩＭＯ伝送でデータを受信したと判断し、検出したＰＤＣＣＨを干渉キャンセル処理に使用するために出力する。このＭＵ−ＭＩＭＯ伝送用の制御情報に含まれるペアリングされた他の端末装置の制御情報の周波数リソース割当は、割当信号抽出部２０６−１〜２０６〜Ｎに入力される。また、図示していないが、ペアリングされた他の端末装置のＭＣＳの情報は復調部２０８−１〜２０８−Ｃ、復号部２０９−１〜２０９−Ｃに入力される。Ｃ−ＲＮＴIとＭＵ−ＲＮＴＩの両方で誤りが検出された場合は、誤り判定部４１６３は、ＣＣＥ算出部４１６１に通知する。この場合、ＣＣＥ算出部４１６１は、ＳＳの別の候補の算出し、制御情報復号部４１６２に入力する。このように、制御情報検出部４１６は、ＳＳの候補を予め決められた回数だけ復号するブラインドデコーディングで制御情報を検出する。
【００７３】
図１２は、本実施形態におけるブラインドデコーディングに係るフローチャートの一例である。ステップＳ１０〜Ｓ１３は、第１の実施形態と同様のため、説明を省略する。ステップＳ１４では、ＣＲＣビット列とＭＵ−ＲＮＴＩを排他的論理和演算により得られたビット列で誤り判定を行い、ＭＵ−ＭＩＭＯ伝送用の制御情報を誤りなく復号できたかをチェックする。誤りが検出された場合はステップＳ１０に戻る。また、誤りが検出されなかった場合はステップＳ２５に移行する。ステップＳ２５では、Ｃ−ＲＮＴＩとＭＵ−ＲＮＴＩの両方で制御情報を検出した場合は処理を終わる。いずれか一方の制御情報のみ検出している場合は、ステップＳ１０に戻る。以上のように、ＭＵ−ＭＩＭＯでは制御情報の検出を行う。
【００７４】
本実施形態では、ＭＵ−ＭＩＭＯで多重されるユーザ数をｕ＝２として説明したが、ＭＵ−ＭＩＭＯで多重されるユーザ数ｕを３以上としても適用できる。その場合、基地局装置はＭＵ−ＭＩＭＯでペアリングされる全端末装置のＳＩＣ受信で必要な制御情報をＭＵ−ＭＩＭＯ伝送用の制御情報により通知すれば良く、ブラインドデコーディング回数はｕ＝２と同様で実現できる。また、キャンセル処理部４０７から誤り判定部４１１−１〜４１１−Ｐまでの処理はＭＵ−ＭＩＭＯで多重されるユーザ毎に行われるが、伝搬路特性やＭＣＳ、コードワード数の情報などによりオーダリングしても良い。また、本実施形態では、ｎｏｎ−ｉｔｅｒａｔｉｖｅ ＩＣ ｒｅｃｅｉｖｅｒであるＳＩＣ処理を前提としていたが、ｉｔｅｒａｔｉｖｅＩＣ ｒｅｃｅｉｖｅｒであるターボ等化やターボＳＩＣにも適用可能である。この場合は、自局宛ての信号を検出後、誤り判定部４１１−１〜４１１−Ｐで誤りが検出された場合に、シンボルレプリカ生成部４１８−１〜４１８−Ｐ、ソフトレプリカ生成部４１９−１〜４１９−Ｐより自局宛ての信号のソフトレプリカを生成し、再度、ＭＵ−ＭＩＭＯでペアリングされた他の端末装置の信号を検出し、精度の高い干渉信号のレプリカを得ることができる。この精度の高い干渉信号のレプリカを用いて、再度自局宛ての信号を検出することにより、誤り率特性を改善することが可能である。また、ダウンリンクでは、端末装置毎に送信モード（Transmission Mode）が設定されており、特定の送信モードの場合のみＭＵ−ＭＩＭＯ伝送が可能となっている。そのため、端末装置は本実施形態で説明した制御情報の検出をＭＵ−ＭＩＭＯ伝送が可能な送信モードが設定されている場合のみに行っても良い。また、本実施形態において、制御情報生成部５１２は、スケジューリング部５１１より入力された通信パラメータを通知する制御情報とペアリングされた端末装置の制御情報を含むＭＵ−ＭＩＭＯ伝送用の制御情報が同一サイズであるとして説明したが、異なるサイズで生成しても良い。その場合は、端末装置は、異なるサイズの制御情報のブラインドデコーディングをする。
【００７５】
以上により、本実施形態では基地局装置がＭＵ−ＭＩＭＯ伝送でダウンリンクのデータ伝送を行い、端末装置がＳＩＣによる干渉キャンセルが可能な場合に、ＭＵ−ＭＩＭＯでペアリングされた端末装置のＳＳを一致される信号と、ＭＵ−ＭＩＭＯでペアリングされた他の端末装置のＳＩＣ受信に必要な制御を通知する。それにより、ブラインドデコーディング回数を増加させることなく、ＭＵ−ＭＩＭＯでペアリングされた他の端末装置の制御情報を検出することが可能となる。その結果、端末装置は所望の信号を検出する際に、ＭＵ−ＭＩＭＯでペアリングされた他の端末装置の信号を検出し、干渉キャンセルに用いることができ、誤り率特性やスループットを向上させることが可能となる。
【００７６】
（第３の実施形態）
本発明の第３の実施形態では、前実施形態と同様に端末装置がＳＩＣによる受信が可能であり、基地局装置よりＭＵ−ＭＩＭＯ伝送で送信されたデータの受信について説明する。従来の端末装置では、ＭＵ−ＭＩＭＯで多重される他の端末装置の制御情報を検出するには、ＳＳが端末装置毎に違うことやブラインドデコーディングの誤り判定に用いるＣ−ＲＮＴＩも端末装置固有の値であることから、膨大な数のブラインドデコーディングが必要である。そのため、本実施形態では、ＭＵ−ＭＩＭＯでペアリングされた全端末装置に共通の制御情報を通知する例について説明する。
【００７７】
本発明の第３の実施形態に係る基地局装置の構成の一例を示す概略ブロック図を図１３に示す。同図と第２の実施形態の基地局装置の構成例である図９の差異は、制御情報生成部７１２のみである。その他は同様であるため説明を省略する。
【００７８】
制御情報生成部７１２は、ＭＵ−ＭＩＭＯ伝送しない端末装置の場合、入力された通信パラメータを通知する端末装置毎に制御情報フォーマットに変換し、生成した制御情報フォーマットを制御情報多重部１０５−１〜１０５−Ｍに入力する。制御情報生成部７１２は、ＭＵ−ＭＩＭＯ伝送する端末装置の場合、ペアリングされた全端末装置へ通知する通信パラメータを１つの制御情報フォーマットに変換し、生成した制御情報フォーマットを制御情報多重部１０５−１〜１０５−Ｍに入力する。また、制御情報生成部７１２は、ＲＲＣシグナリングで通知するＣ−ＲＮＴＩやＭＵ−ＲＮＴＩを通知するタイミングではＲＲＣによる制御情報も制御情報多重部１０５−１〜１０５−Ｍに入力する。本実施形態では、ＲＲＣシグナリングよりＭＵ−ＲＮＴＩを通知後にＭＵ−ＭＩＭＯ伝送を行う。
【００７９】
１つの制御情報フォーマットでペアリングされた全端末装置へ通知する通信パラメータ含む具体的な例として、ＭＣＳやＮＤＩ（New Data Indicator）、ＲＶ（Redundancy Version）、アンテナポート情報、ＰＵＣＣＨのＴＰＣなどの端末装置固有の情報を複数有し、端末装置共通のパラメータは１つのみ有するフォーマットとするなどである。端末装置共通のパラメータは、周波数リソース割当などを共通としても良いし、ＳＲＳ送信要求（ＳＲＳ  ｒｅｑｕｅｓｔ）を共通化しても良い。
【００８０】
本発明の第３の実施形態に係る端末装置と制御情報検出部の構成例は、図３と図４と同じである。ただし、制御情報検出部に含まれるＣＲＣ算出部の処理が異なる。
【００８１】
図１４は、本実施形態におけるブラインドデコーディングに係るフローチャートの一例である。ステップＳ１０〜Ｓ１２は、第２の実施形態と同様のため、説明を省略する。ステップＳ３３では、ＣＲＣビット列とＭＵ−ＲＮＴＩを排他的論理和演算により得られたビット列で誤り判定を行い、ＭＵ−ＭＩＭＯでペアリングされた全端末装置の制御情報を含むフォーマットを誤りなく復号できたかをチェックする。誤りが検出された場合はステップＳ１０に戻る。また、誤りが検出されなかった場合は、自局宛ての制御情報とＭＵ−ＭＩＭＯでペアリングされた他の端末の制御情報を同時検出しているため、処理を終える。以上のように、ＭＵ−ＭＩＭＯでは制御情報の検出を行う。
【００８２】
本実施形態では、ＭＵ−ＭＩＭＯで多重されるユーザ数ｕが２以上であれば適用可能である。その場合、１つの制御情報フォーマットでペアリングされた全端末装置の制御情報により通知すれば良く、ブラインドデコーディング回数は増加させることなく実現できる。また、キャンセル処理部４０７から誤り判定部４１１−１〜４１１−Ｐまでの処理はＭＵ−ＭＩＭＯで多重されるユーザ毎に行われるが、伝搬路特性やＭＣＳ、コードワード数の情報などによりオーダリングしても良い。また、本実施形態では、ｎｏｎ−ｉｔｅｒａｔｉｖｅ ＩＣ ｒｅｃｅｉｖｅｒであるＳＩＣ処理を前提としていたが、ｉｔｅｒａｔｉｖｅＩＣ ｒｅｃｅｉｖｅｒであるターボ等化やターボＳＩＣにも適用可能である。この場合は、自局宛ての信号を検出後、誤り判定部４１１−１〜４１１−Ｐで誤りが検出された場合に、シンボルレプリカ生成部４１８−１〜４１８−Ｐ、ソフトレプリカ生成部４１９−１〜４１９−Ｐより自局宛ての信号のソフトレプリカを生成し、再度、ＭＵ−ＭＩＭＯでペアリングされた他の端末装置の信号を検出し、精度の高い干渉信号のレプリカを得ることができる。この精度の高い干渉信号のレプリカを用いて、再度自局宛ての信号を検出することにより、誤り率特性を改善することが可能である。また、ダウンリンクでは、端末装置毎に送信モード（Transmission Mode）が設定されており、特定の送信モードの場合のみＭＵ−ＭＩＭＯ伝送が可能となっている。そのため、端末装置は本実施形態で説明した制御情報の検出をＭＵ−ＭＩＭＯ伝送が可能な送信モードが設定されている場合のみに行っても良い。
【００８３】
以上により、本実施形態では基地局装置がＭＵ−ＭＩＭＯ伝送でダウンリンクのデータ伝送を行い、端末装置がＳＩＣによる干渉キャンセルが可能な場合に、ＭＵ−ＭＩＭＯでペアリングされた端末装置のＳＳを一致される信号と、ＭＵ−ＭＩＭＯでペアリングされた他の端末装置のＳＩＣ受信に必要な制御を通知する。それにより、ブラインドデコーディング回数を増加させることなく、ＭＵ−ＭＩＭＯでペアリングされた他の端末装置の制御情報を検出することが可能となる。その結果、端末装置は所望の信号を検出する際に、ＭＵ−ＭＩＭＯでペアリングされた他の端末装置の信号を検出し、干渉キャンセルに用いることができ、誤り率特性やスループットを向上させることが可能となる。
【００８４】
（第４の実施形態）
本発明の第４の実施形態では、前実施形態と同様に端末装置がＳＩＣによる受信が可能であり、基地局装置よりＭＵ−ＭＩＭＯ伝送で送信されたデータの受信について説明する。従来の端末装置では、ブラインドデコーディングの誤り判定に用いるＣ−ＲＮＴＩが端末装置固有の値であることから、ＭＵ−ＭＩＭＯで多重される他の端末装置の制御情報を検出できない。そのため、本実施形態では、ＭＵ−ＭＩＭＯでペアリングされた他の端末装置の制御情報を検出する例について説明する。
【００８５】
本発明の第４の実施形態に係る基地局装置の構成例は、図２と同様であり、説明を省略する。本発明の第４の実施形態に係る端末装置の構成の一例を示す概略ブロック図を図１５に示す。同図と第２の実施形態の端末装置の構成例である図１０の差異は、制御情報分離部８０５−１〜８０５−Ｎ、制御情報検出部８１６と識別子記憶部８１７である。その他は同様であるため説明を省略する。
【００８６】
まず、制御情報分離部８０５−１〜８０５−Ｎでは、参照信号列が分離された周波数領域信号列をＰＤＣＣＨの信号列（制御信号列）とＰＤＳＣＨの信号列（データ信号列）に分離し、ＰＤＣＣＨの信号列を制御情報検出部８１６に入力し、ＰＤＳＣＨの信号列を割当信号抽出部２０６−１〜２０６−Ｎに入力する。また、ＲＲＣシグナリングの制御情報を受信した場合も、制御情報分離部８０５−１〜８０５−Ｎは、制御情報として分離し、制御情報検出部８１６に入力する。ただし、ＲＲＣシグナリングによりＣ−ＲＮＴＩやＭＵ−ＭＩＭＯでペアリングされた他の端末のＣ−ＲＮＴＩであるＩｏｔｈｅｒを受信した場合、制御情報分離部８０５−１〜８０５−Ｎは識別子記憶部８１７に入力する。識別子記憶部８１７は、入力されたＣ−ＲＮＴＩとＩｏｔｈｅｒを記憶する。
【００８７】
本発明の第４の実施形態に係る制御情報検出部８１６の構成の一例を示す概略ブロック図を図１６に示す。制御情報検出部８１６は、制御情報分離部８０５−１〜８０５−ＮよりＰＤＣＣＨの信号列が入力される。さらに、基地局装置より通知されたＣ−ＲＮＴＩとＩｏｔｈｅｒが識別子記憶部８１７で保持されており、Ｃ−ＲＮＴＩとＩｏｔｈｅｒの両方がＣＣＥ算出部８１６１に入力され、Ｃ−ＲＮＴＩとＩｏｔｈｅｒは識別子選択部８１６５にも入力される。ＣＣＥ算出部８１６１は、式（１）〜式（３）を用いてＵＳＳのブラインドデコーディングする位置を算出し、さらに復号する信号の長さを予め決められたテーブルより抽出し、これらの情報を制御情報復号部８１６２に入力する。ただし、式（３）の初期値のみが異なり、次式となる。
【００８８】
【数５】
2014204254.tif 000007
…式（５）
【００８９】
ただし、ｎＣ−ＲＮＴＩはＣ−ＲＮＴＩの値である。制御情報復号部８１６２は、入力されたインデックスと信号の長さにより、ＰＤＣＣＨの信号列を復号する。制御情報復号部８１６２は、復号後の信号を誤り判定部８１６３に入力し、制御情報に付加されているＣＲＣビット列をＣＲＣ算出部８１６４に入力する。
【００９０】
識別子選択部８１６５は、ＣＲＣ算出部８１６４にＣ−ＲＮＴＩを入力する。ＣＲＣ算出部８１６４は、入力されたＣＲＣビット列とＣ−ＲＮＴＩを排他的論理和による演算を行い、誤り判定部８１６３に入力する。誤り判定部８１６３では、自局宛てのＰＤＣＣＨの制御情報として誤りなく復号できたかをチェックする。ここで、誤りがないと判定された場合には、従来と同様に自局宛てのＰＤＣＣＨの制御情報として処理する。また、自局宛てのＰＤＣＣＨの制御情報を誤りなく検出した通知をＣＣＥ算出部８１６１と識別子選択部８１６５に入力する。誤りが検出された場合には、ＣＣＥ算出部８１６１は、ＳＳの別の候補の算出し、制御情報復号部８１６２に入力する。このように、制御情報検出部８１６は、ＳＳの候補を予め決められた回数だけ復号するブラインドデコーディングで制御情報を検出する。
【００９１】
次に、ＣＣＥ算出部８１６１は、自局宛てのＰＤＣＣＨの制御情報を検出後、式（１）〜式（３）と次式を用いてＵＳＳのブラインドデコーディングする位置を算出し、さらに復号する信号の長さを予め決められたテーブルより抽出し、これらの情報を制御情報復号部８１６２に入力する。
【００９２】
【数６】
2014204254.tif 000008
…式（６）
【００９３】
上記は、ＭＵ−ＭＩＭＯでペアリングされた他の端末装置のＵＳＳのＢＤをすることを意味する。制御情報復号部８１６２は、入力されたインデックスと信号の長さにより、ＰＤＣＣＨの信号列を復号する。制御情報復号部８１６２は、復号後の信号を誤り判定部８１６３に入力し、制御情報に付加されているＣＲＣビット列をＣＲＣ算出部８１６４に入力する。
【００９４】
識別子選択部８１６５は、ＣＲＣ算出部８１６４にＩｏｔｈｅｒを入力する。ＣＲＣ算出部８１６４は、入力されたＣＲＣビット列とＩｏｔｈｅｒを排他的論理和による演算を行い、誤り判定部８１６３に入力する。誤り判定部８１６３では、ＭＵ−ＭＩＭＯでペアリングされた他の端末装置宛てのＰＤＣＣＨの制御情報として誤りなく復号できたかをチェックする。ここで、誤りがないと判定された場合には、ＭＵ−ＭＩＭＯ伝送でデータを受信したと判断し、検出したＰＤＣＣＨを干渉キャンセル処理に使用するために出力する。このＭＵ−ＭＩＭＯ伝送用の制御情報に含まれるペアリングされた他の端末装置の制御情報の周波数リソース割当は、割当信号抽出部２０６−１〜２０６〜Ｎに入力される。また、図示していないが、ペアリングされた他の端末装置のＭＣＳの情報は復調部２０８−１〜２０８−Ｃ、復号部２０９−１〜２０９−Ｃに入力される。誤りが検出された場合には、ＣＣＥ算出部８１６１は、ＳＳの別の候補の算出し、制御情報復号部８１６２に入力する。このように、制御情報検出部８１６は、ＳＳの候補を予め決められた回数だけ復号するブラインドデコーディングで制御情報を検出する。
【００９５】
図１７は、本実施形態におけるブラインドデコーディングに係るフローチャートの一例である。ステップＳ１０〜Ｓ１２は、第１の実施形態と同様のため、説明を省略する。ステップＳ４３では、ＣＲＣビット列とＣ−ＲＮＴＩを排他的論理和演算により得られたビット列で誤り判定を行い、自局宛ての制御情報を誤りなく復号できたかをチェックする。誤りが検出された場合はステップＳ１０に戻る。また、誤りが検出されなかった場合はステップＳ４４に移行する。ステップＳ４４では、ＭＵ−ＭＩＭＯでペアリングされた他の端末装置宛ての制御情報の復号回数であるブラインドデコーディング回数が所定の値以内であれば、ステップＳ４５に移行し、ブラインドデコーディング回数が所定の値を超える場合は処理を終える。ステップＳ４５では、ＣＣＥ算出部８１６１において式（１）〜式（３）、式（６）を用いてＵＳＳのブラインドデコーディングする位置（インデックス）を算出し、インデックスと信号の長さを出力する。ステップＳ４６では、制御情報復号部８１６２において入力されたインデックスと信号の長さにより、ＰＤＣＣＨの信号列を復号する。ステップＳ４７では、ＣＲＣビット列とＩｏｔｈｅｒを排他的論理和演算により得られたビット列で誤り判定を行い、誤りが検出された場合はステップＳ４４に移行し、誤りが検出されなかった場合は処理を終える。以上のように、ＭＵ−ＭＩＭＯでは自局宛ての制御情報とＭＵ−ＭＩＭＯでペアリングされた他の端末装置宛ての制御情報の検出を行う。
【００９６】
本実施形態では、ＭＵ−ＭＩＭＯで多重されるユーザ数をｕ＝２として説明したが、ＭＵ−ＭＩＭＯで多重されるユーザ数ｕを３以上としても適用できる。その場合は、ＭＵ−ＭＩＭＯでペアリングされる他の端末装置のＣ−ＲＮＴIであるＩｏｔｈｅｒをｕ−１だけ通知すれば良く、ブラインドデコーディング回数はｕ＝２と同様で実現できる。また、キャンセル処理部４０７から誤り判定部４１１−１〜４１１−Ｐまでの処理はＭＵ−ＭＩＭＯで多重されるユーザ毎に行われるが、伝搬路特性やＭＣＳ、コードワード数の情報などによりオーダリングしても良い。また、本実施形態では、ｎｏｎ−ｉｔｅｒａｔｉｖｅ ＩＣ ｒｅｃｅｉｖｅｒであるＳＩＣ処理を前提としていたが、ｉｔｅｒａｔｉｖｅＩＣ ｒｅｃｅｉｖｅｒであるターボ等化やターボＳＩＣにも適用可能である。この場合は、自局宛ての信号を検出後、誤り判定部４１１−１〜４１１−Ｐで誤りが検出された場合に、シンボルレプリカ生成部４１８−１〜４１８−Ｐ、ソフトレプリカ生成部４１９−１〜４１９−Ｐより自局宛ての信号のソフトレプリカを生成し、再度、ＭＵ−ＭＩＭＯでペアリングされた他の端末装置の信号を検出し、精度の高い干渉信号のレプリカを得ることができる。この精度の高い干渉信号のレプリカを用いて、再度自局宛ての信号を検出することにより、誤り率特性を改善することが可能である。また、ダウンリンクでは、端末装置毎に送信モード（Transmission Mode）が設定されており、特定の送信モードの場合のみＭＵ−ＭＩＭＯ伝送が可能となっている。そのため、端末装置は本実施形態で説明した制御情報の検出をＭＵ−ＭＩＭＯ伝送が可能な送信モードが設定されている場合のみに行っても良い。
【００９７】
以上により、本実施形態では基地局装置がＭＵ−ＭＩＭＯ伝送でダウンリンクのデータ伝送を行い、端末装置がＳＩＣによる干渉キャンセルが可能な場合に、ＭＵ−ＭＩＭＯでペアリングされた他の端末装置のＣ−ＲＮＴＩを通知することで、他の端末の制御情報を検出可能となる。それにより、端末装置は所望の信号を検出する際に、ＭＵ−ＭＩＭＯでペアリングされた他の端末装置の信号を検出し、干渉キャンセルに用いることができ、誤り率特性やスループットを向上させることが可能となる。
【００９８】
なお、上述した実施形態に係る端末装置、基地局装置の一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置又は基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態に係る端末装置又は基地局装置の一部、または全部を、ＬＳＩ（Ｌａｒｇｅ  Ｓｃａｌｅ  Ｉｎｔｅｇｒａｔｉｏｎ）等の集積回路として実現しても良い。端末装置又は基地局装置の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００９９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１００】
ｅＮＢ…基地局装置
ＵＥ１〜ＵＥ２…端末装置
１０１−１〜１０１−Ｍ…再送制御部
１０２−１〜１０２−Ｍ…符号化部
１０３−１〜１０３−Ｍ…変調部
１０４−１〜１０４−Ｍ…信号割当部
１０５−１〜１０５−Ｍ…制御情報多重部
１０６−１〜１０６−Ｍ…ＩＦＦＴ部
１０７−１〜１０７−Ｍ…送信処理部
１０８−１〜１０８−Ｍ…送信アンテナ
１０９…受信アンテナ
１１０…受信部
１１１…スケジューリング部
１１２…制御情報生成部
１１３…参照信号生成部
１１４…プリコーディング部
２０１−１〜２０１−Ｎ…受信アンテナ
２０２−１〜２０２−Ｎ…受信処理部
２０３−１〜２０３−Ｎ…ＦＦＴ部
２０４−１〜２０４−Ｎ…参照信号分離部
２０５−１〜２０５−Ｎ…制御情報分離部
２０６−１〜２０６−Ｎ…割当信号抽出部
２０８…ＭＩＭＯ分離部
２０９−１〜２０９−Ｃ…復調部
２１０−１〜２１０−Ｃ…復号部
２１１−１〜２１１−Ｃ…誤り判定部
２１２…伝搬路推定部
２１３…制御情報生成部
２１４…制御情報送信部
２１５…送信アンテナ
２１６…制御情報検出部
２１７…識別子記憶部
２１６１…ＣＣＥ算出部
２１６２…制御情報復号部
２１６３…誤り判定部
２１６４…ＣＲＣ算出部
３１１…スケジューリング部
３１２…制御情報生成部
４０５−１〜４０５−Ｎ…制御情報分離部
４０７…キャンセル処理部
４０８…ＭＩＭＯ分離部
４０９−１〜４０９−Ｐ…復調部
４１０−１〜４１０−Ｐ…復号部
４１１−１〜４１１−Ｐ…誤り判定部
４１６…制御情報検出部
４１７…識別子記憶部
４１８−１〜４１８−Ｐ…シンボルレプリカ生成部
４１９−１〜４１９−Ｐ…ソフトレプリカ生成部
４１６１…ＣＣＥ算出部
４１６２…制御情報復号部
４１６３…誤り判定部
４１６４…ＣＲＣ算出部
４１６５…識別子選択部
５１１…スケジューリング部
５１２…制御情報生成部
６０５−１〜６０５−Ｎ…制御情報分離部
６１６…制御情報検出部
６１７…識別子記憶部
６１６４…ＣＲＣ算出部
６１６５…識別子選択部
７１２…制御情報生成部
８０５−１〜８０５−Ｎ…制御情報分離部
８１６…制御情報検出部
８１７…識別子記憶部
８１６１…ＣＣＥ算出部
８１６２…制御情報復号部
８１６３…誤り判定部
８１６４…ＣＲＣ算出部
８１６５…識別子選択部
【図１】
2014204254.tif 000009
【図２】
2014204254.tif 000010
【図３】
2014204254.tif 000011
【図４】
2014204254.tif 000012
【図５】
2014204254.tif 000013
【図６】
2014204254.tif 000014
【図７】
2014204254.tif 000015
【図８】
2014204254.tif 000016
【図９】
2014204254.tif 000017
【図１０】
2014204254.tif 000018
【図１１】
2014204254.tif 000019
【図１２】
2014204254.tif 000020
【図１３】
2014204254.tif 000021
【図１４】
2014204254.tif 000022
【図１５】
2014204254.tif 000023
【図１６】
2014204254.tif 000024
【図１７】
2014204254.tif 000025
【図１８】
2014204254.tif 000026
【手続補正書】
【提出日】平成25年4月12日(2013.4.12)
【手続補正１】
【補正対象書類名】明細書
【補正対象項目名】００１９
【補正方法】変更
【補正の内容】
【００１９】
【図１】本発明に係るセルラシステムのダウンリンクの概略図である。
【図２】従来の基地局装置の構成の一例を示す概略ブロック図である。
【図３】従来の端末装置の構成の一例を示す概略ブロック図である。
【図４】第１の実施形態に係る制御情報検出部の構成の一例を示す概略ブロック図である。
【図５】第１の実施形態に係る基地局装置の構成の一例を示す概略ブロック図である。
【図６】第１の実施形態に係る端末装置の構成の一例を示す概略ブロック図である。
【図７】第１の実施形態に係る制御情報検出部の構成の一例を示す概略ブロック図である。
【図８】第１の実施形態に係るブラインドデコーディングのフローチャートの一例である。
【図９】第２の実施形態に係る基地局装置の構成の一例を示す概略ブロック図である。
【図１０】第２の実施形態に係る端末装置の構成の一例を示す概略ブロック図である。
【図１１】第２の実施形態に係る制御情報検出部の構成の一例を示す概略ブロック図である。
【図１２】第２の実施形態に係るブラインドデコーディングのフローチャートの一例である。
【図１３】第３の実施形態に係る基地局装置の構成の一例を示す概略ブロック図である。
【図１４】第３の実施形態に係るブラインドデコーディングのフローチャートの一例である。
【図１５】第４の実施形態に係る端末装置の構成の一例を示す概略ブロック図である。
【図１６】第４の実施形態に係る制御情報検出部の構成の一例を示す概略ブロック図である。
【図１７】第４の実施形態に係るブラインドデコーディングのフローチャートの一例である。
【図１８】従来のブラインドデコーディングの候補数を示す表の一例である。